【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
会議室の様子を撮像する撮像手段と、
前記撮像手段が撮像したライブ画像と、プログラムの第１の機能の提供を指示する第１のコマンドと表示によって関連付けられた画像である第１のコマンド画像と、を表示する第１の表示手段と、
前記第１の表示手段で表示された第１のコマンド画像を選択する第１の選択命令を入力する第１の入力手段と、
前記第１の入力手段で入力された第１の選択命令が選択する第１のコマンド画像に関連付けられた第１のコマンドの実行を制御する制御手段と、
前記制御手段で制御された第１のコマンドの実行先の機器である１以上のデバイスと、を備え、
前記第１の選択命令は、第１のコマンド画像とライブ画像内の前記デバイスを表す画像とを関連付けて選択することを特徴とする会議室制御システム。
【請求項２】
前記デバイスは１以上の第２の表示手段であり、
前記撮像手段は、前記１以上の第２の表示手段を撮像し、
前記ライブ画像内には、表示手段を表す複数の画像が表示され、
前記第２の表示手段は、前記１以上の表示手段の任意の一つであることを特徴とする請求項１に記載の会議室制御システム。
【請求項３】
第１のコマンド画像は、文字画像、記号画像、絵画像、絵文字画像、又は、絵記号画像のいずれかであることを特徴とする請求項１又は２に記載の会議室制御システム。
【請求項４】
第１のコマンド画像は、アイコンであることを特徴とする請求項１又は２に記載の会議室制御システム。
【請求項５】
前記第１の入力手段で入力される第１の選択命令は、ドラッグ・アンド・ドロップによって入力されることを特徴とする請求項１ないし４に記載の会議室制御システム。
【請求項６】
前記プログラムの第１の機能は、プログラムの第２の機能の提供を指示する第２のコマンドと表示によって関連付けられた画像である第２のコマンド画像を表示する機能であり、
前記第１の表示手段における第２の領域に表示された第２のコマンド画像を選択する第２の選択命令を入力する第２の入力手段を、更に備える、ことを特徴とする請求項１ないし５に記載の会議室制御システム。
【請求項７】
前記第２のコマンド画像は、会議で使用する資料を基礎として作成されたサムネイルであり、
前記第２の選択命令は、前記サムネイルを選択する命令であり、
前記プログラムの第２の機能は、前記第２の選択命令が選択するサムネイルの作成の基礎とされた会議で使用する資料を表示する機能であり、
前記第２の表示手段は、前記第２の選択命令が選択する第２のコマンド画像に関連付けられた第２のコマンドの実行結果である第２の実行結果を表示する、ことを特徴とする請求項１ないし６に記載の会議室制御システム。
【請求項８】
前記表示手段は、会議で使用する資料を表示し、
前記第２のコマンド画像は、前記表示手段が表示する資料に関連付けられた資料を基礎として作成されたサムネイルであり、
前記第２の選択命令は、前記サムネイルを選択する命令であり、
前記プログラムの第２の機能は、前記第２の選択命令が選択するサムネイルの作成の基礎とされた資料を表示する機能であり、
前記第２の表示手段は、前記第２の選択命令が選択する第２のコマンド画像に関連付けられた第２のコマンドの実行結果である第２の実行結果を表示する、ことを特徴とする請求項１ないし６に記載の会議室制御システム。
【請求項９】
前記第２のコマンド画像は、会議で参照される議事録を基礎として作成されたサムネイルであり、
前記第２の選択命令は、前記サムネイルを選択する選択命令を入力し、
前記プログラムの第２の機能は、前記第２の選択命令が選択するサムネイルの作成の基礎とされた議事録を表示する機能であり、
前記第２の表示手段は、前記第２の選択命令が選択する第２のコマンド画像に関連付けられた第２のコマンドの実行結果である第２の実行結果を表示する、ことを特徴とする請求項１ないし６に記載の会議室制御システム。
【請求項１０】
前記会議は、テレビ会議であり、
前記第２のコマンド画像は、前記テレビ会議の接続先を表現した画像である接続先画像であり、
前記第２の選択命令は、前記接続先画像を選択する命令であり、
前記プログラムの第２の機能は、前記第２の選択命令が選択する接続先画像が表現する前記テレビ会議の接続先から受信した画像を表示する機能であり、
前記第２の表示手段は、前記第２の選択命令が選択する第２のコマンド画像に関連付けられた第２のコマンドの実行結果である第２の実行結果を表示する、ことを特徴とする請求項１ないし６に記載の会議室制御システム。
【請求項１１】
前記第２のコマンド画像は、外部の画像入力装置を表現した画像である入力装置画像であり、
前記第２の選択命令は、前記入力装置画像を選択する命令であり、
前記プログラムの第２の機能は、前記第２の選択命令が選択する前記情報入力装置から受信した画像を表示する機能であり、
前記第２の表示手段は、前記第２の選択命令が選択する第２のコマンド画像に関連付けられた第２のコマンドの実行結果である第２の実行結果を表示する、ことを特徴とする請求項１ないし６に記載の会議室制御システム。
【請求項１２】
前記第２のコマンド画像は、前記撮像手段を制御するコマンドと表示によって関連付けられた画像である制御画像であり、
前記第２の選択命令は、前記制御画像を選択する命令であり、
前記プログラムの第２の機能は、前記第２の選択命令が選択する制御画像と関連付けられたコマンドを実行する機能である、ことを特徴とする請求項１ないし６に記載の会議室制御システム。
【請求項１３】
前記第２の表示手段、及び、前記第２の入力手段は、遠隔地に設置されることを特徴とする請求項２ないし１２に記載の会議室制御システム。
【請求項１４】
前記デバイスは、表示装置、プリンタ、ファクシミリ装置、ファイルサーバ、メールサーバの内、少なくとも１つである、ことを特徴とする請求項１ないし１３に記載の会議室制御システム。
【請求項１５】
前記第１の表示手段は、前記第１の入力手段でドラッグ・アンド・ドロップによって選択された１以上の第２の表示手段に対応して表示させる画像を時系列順序に従って表示する第３の領域を有し、
前記制御装置は、前記第１の表示手段の第３の領域に表示された時系列順序に従って前記１以上の第２の表示手段へ同期して前記画像を表示させる制御を行う、
ことを特徴とする請求項１ないし１４に記載の会議室制御システム。
【請求項１６】
前記第２の機能は、接続先画像を表示するまでのテレビ会議システムの操作手順を示す機能を含む特徴とする請求項１０に記載の会議室制御システム。
【手続補正２】
【補正対象書類名】明細書
【補正対象項目名】発明の名称
【補正方法】変更
【補正の内容】
【発明の名称】会議室制御システム
【手続補正３】
【補正対象書類名】明細書
【補正対象項目名】０００１
【補正方法】変更
【補正の内容】
【０００１】
本発明は、表示装置の表示を制御できる会議室制御システムに関し、特に、複数の表示装置の表示を視覚的に一元管理しながらも個別の表示要求に応じる会議室制御システムを提供することにある。
【手続補正４】
【補正対象書類名】明細書
【補正対象項目名】００２４
【補正方法】削除
【補正の内容】
【手続補正５】
【補正対象書類名】明細書
【補正対象項目名】００２６
【補正方法】変更
【補正の内容】
【００２６】
以下、本発明の最良の実施形態について、添付図面を参照しつつ説明する。図１は本発明の一実施例に係る会議室制御システムの構成図である。
【手続補正６】
【補正対象書類名】明細書
【補正対象項目名】００４３
【補正方法】変更
【補正の内容】
【００４３】
会議管理テーブルＴ２０１は、会議を識別する情報である会議ＩＤと会議の書誌的情報である開催日付や会議の開始時刻等を関連付けられて蓄積している。
【手続補正７】
【補正対象書類名】明細書
【補正対象項目名】００７１
【補正方法】変更
【補正の内容】
【００７１】
遠隔地ライブ画像画面ＭＳ１２０は、遠隔地にある撮像装置３４０によって会議室を撮像された撮像画像がライブで表示される。
遠隔地ライブ画像画面ＭＳ１２０の構成は、ライブ画像画面ＭＳ１１０の構成と同様であるため省略する。
【手続補正８】
【補正対象書類名】明細書
【補正対象項目名】００７５
【補正方法】変更
【補正の内容】
【００７５】
具体的には、第１行１列の要素は、表示操作の第１番目にライブ画像の最も左に表示された第２表示装置３３１へ表示する情報を表す。また、第１行３列の要素は、表示操作の第１番目にライブ画像の最も右に表示された第２表示装置３３３へ表示する第１コマンド画像に関連付けられたコマンドに従ったプログラムの実行結果を表す。
【手続補正９】
【補正対象書類名】明細書
【補正対象項目名】０１１７
【補正方法】変更
【補正の内容】
【０１１７】
ここで、図１２を参照して、機能指定画面ＭＳ１４０に表示された第１コマンド画像をドラッグし、ライブ画像画面ＭＳ１１０又は遠隔地ライブ画像画面ＭＳ１２０のライブ画像に表示された表示装置画像Ｇ１１１ないし１１３又は１２１ないしＧ１２３へドロップする操作をユーザがした場合に実行される制御装置１１０の制御処理を説明する。図１２は、制御装置１１０の制御処理を説明するための図である。
【手続補正１０】
【補正対象書類名】明細書
【補正対象項目名】０１３６
【補正方法】変更
【補正の内容】
【０１３６】
第１コマンドが第１議事録コマンドであり実行サーバがＡＰサーバ１２１である場合には、議事録を、議事録管理テーブルＴ４０１を検索することで取得する。その後、取得した議
【手続補正１１】
【補正対象書類名】明細書
【補正対象項目名】０１４０
【補正方法】変更
【補正の内容】
【０１４０】
第１コマンドが第１外部入力コマンドであり実行サーバがＡＰサーバ１２３である場合、及び、第１コマンドが第１カメラコマンドであり実行サーバがＡＰサーバ１２４である場合には、それぞれ入力装置画像、又は、制御画像を生成し、それぞれ第２外部入力コマンド、又は、第２カメラコマンドと関連つけることで第２外部入力コマンド画像、又は、第２カメラコマンド画像として生成する。
【手続補正１２】
【補正対象書類名】明細書
【補正対象項目名】０１４９
【補正方法】変更
【補正の内容】
【０１４９】
次に、実行サーバは、ステップＳＴ１０５で取得した第２コマンドを実行する（ステップＳＴ１０７）。
具体的には、第２コマンドが第２資料コマンドである場合には選択されたサムネイルの基礎とされた会議資料を表示情報として表示切替装置１３０へ送信する。同様に、第２関連資料コマンドである場合には選択されたサムネイルの基礎とされた関連資料を表示情報として表示切替装置１３０へ送信する。同様に、第２議事録コマンドである場合には選択されたサムネイルの基礎とされた議事録を表示情報として表示切替装置１３０へ送信する。同様に第２テレビコマンドである場合には接続先から受信した画像を表示情報として表示切替装置１３０へ送信する。同様に、第２外部入力コマンドである場合には画像入力装置４１１又は４１２から受信した画像を表示情報として表示切替装置１３０へ送信する。第２コマンドが第２カメラコマンドである場合には撮像装置３４０を制御するコマンドを撮像装置３４０へ送信する。
【手続補正１３】
【補正対象書類名】明細書
【補正対象項目名】０１７６
【補正方法】変更
【補正の内容】
【０１７６】
【図１】本発明の一実施例に係る会議室制御システムの構成図である。
【図２】ＡＰサーバの備えるデータベースの一例を説明するための図である。
【図３】第２入力装置と第２表示装置との構成を説明するための図である。
【図４】第１表示装置が表示する表示画面の一例である。
【図５】資料アイコンを選択した場合のオブジェクト指定画面の一例を説明するための図である。
【図６】関連資料アイコンを選択した場合のオブジェクト指定画面の一例を説明するための図である。
【図７】議事録アイコンを選択した場合のオブジェクト指定画面の一例を説明するための図である。
【図８】テレビ会議アイコンを選択した場合のオブジェクト指定画面の一例を説明するための図である。
【図９】外部入力アイコンを選択した場合のオブジェクト指定画面の一例を説明するための図である。
【図１０】カメラアイコンを選択した場合のオブジェクト指定画面の一例を説明するための図である。
【図１１】第１コマンド画像の表示を説明するための図である。
【図１２】制御装置の制御処理の一例を説明するためのフローチャートである。
【図１３】実行サーバの実行処理を説明するためのフローチャートである。
【図１４】制御装置の制御処理の他例を説明するためのフローチャートである。
【手続補正１４】
【補正対象書類名】明細書
【補正対象項目名】０１７７
【補正方法】変更
【補正の内容】
【０１７７】
１００…会議室制御システム                  １１０…制御装置（制御手段）                
１２１〜１２４…アプリケーションサーバ      １３０…表示切替装置                        
２００…遠隔地等                            ２１０…第１入力装置（第１の入力手段）      
２２０…第１表示装置（第１の表示手段）      ３００…遠隔地等                            
３１０…プリンタ                            ３１１…ファクシミリ装置                    
３１２…ファイルサーバ                      ３１３…メールサーバ                        
３２１〜３２３…第２入力装置（第２の入力手段）
３３１〜３３３…第２表示装置（第２の表示手段、表示手段
３４０…撮像装置（撮像手段）                ４００…システム外（遠隔地等）              
４１１、４１２…画像入力装置                ５００…ネットワーク                        
ＢＴ１３１…操作開始ボタン                  ＢＴ１３２…操作停止ボタン                  
ＢＴ１３５、１３６…実行順序操作ボタン      Ｄ…ディスプレイ                            
Ｇ１１１〜１１３，１２１〜１２３…表示装置画像
Ｇ１１４…プリンタ画像                      Ｉ１…資料アイコン                          
Ｉ２…関連資料アイコン                      Ｉ３…議事録アイコン                        
Ｉ４…テレビ会議アイコン                    Ｉ５…外部入力アイコン                      
Ｉ６…カメラアイコン                        
Ｉ３，ＩＣ３，ＩＭ３，ＩＰＣ３，ＩＰＭ３…第１コマンド画像
Ｍ１００…表示画面                          ＭＳ１１０…ライブ画像画面                  
ＭＳ１２０…遠隔地ライブ画像画面            ＭＳ１３０…操作順序指定画面                
ＭＳ１４０…機能指定画面                    ＭＳ１５０…オブジェクト指定画面
ＳＣ１〜４…議事録のサムネイル              ＳＤ１〜３…制御画像                        
ＳＦ１〜３…入力装置画像                    ＳＭ１〜３…表示装置選択画像                
ＳＲ１〜８…関連資料のサムネイル            ＳＳ１〜８…会議資料のサムネイル            
ＳＴ１〜３…接続先画像                      Ｔ１０１…資料管理テーブル                  
Ｔ１０２…関連テーブル                      Ｔ１０２…資料−スライドテーブル            
Ｔ２０１…会議管理テーブル                  Ｔ３０１…会議−資料テーブル                
Ｔ４０１…議事録管理テーブル